(57)【特許請求の範囲】
【請求項１】
ヘルメット本体の前部内面に沿ってフェースシールドを上下方向に進退出可能に取り付け、更に、上下方向に延びる左右一対の案内溝と、該案内溝との間で上下方向に適宜の間隔を置いて、複数の突状歯を形成して成るラックが設けられ、且つ、該ラック全体に前後方向の弾力性が付与されたガイド板部を有する、ヘルメットのフェースシールド装着装置に於いて、
前記フェースシールドを下方に引き出して前方へ押し出したとき、該フェースシールドの左右上端部付近の内面側に付設されたフェースシールド内側突部と、
フェースシールドガイド板の左右下端部付近の外面側に穿設されたフェースシールドガイド板凹部とを契合させることにより、該フェースシールドは真下方向に対する俯角を示す所望のチルト角を保持することを特徴とするヘルメットのフェースシールド装着装置。
【請求項２】
上記フェースシールド内側突部とフェースシールドガイド板凹部とを対応させてそれぞれ任意の位置に設定することにより、上記フェースシールドは任意の引き出し位置において所望のチルト角を保持できることを特徴とする請求項１記載のヘルメットのフェースシールド装着装置。
【請求項３】
上記フェースシールド内側突部とフェースシールドガイド板凹部は、それぞれ、該フェースシールドのスライド方向に沿って複数箇所に設けられ、対応する位置に設けられた該フェースシールド内側突部とフェースシールドガイド板凹部とを契合させることにより、上記フェースシールドは多段の引き出し位置においてチルト角を保持できることを特徴とする請求項１記載のヘルメットのフェースシールド装着装置。
【発明の詳細な説明】
【技術分野】
【０００１】
本発明はヘルメットのフェースシールド装着装置に関するものであり、特に、フェースシールドがヘルメット本体の前部内面に沿って上下方向へ進退出可能に取り付けられたヘルメットのフェースシールド装着装置に関するものである。
【背景技術】
【０００２】
従来、使用者の頭部を保護するヘルメットには、略半球状のヘルメット本体と、該ヘルメット本体内に設けられ、該ヘルメット本体の内面との間に隙間を設けて該ヘルメット本体に支持されるハンモックと、該ヘルメット本体の前部内面に装着されたフェースシールド装着装置と、該フェースシールド装着装置のフェースシールドガイド板に沿って進退出可能に設けられ、かつ、進出位置で使用者の顔面を保護するフェースシールドと、を備えたものが知られている（例えば、特許文献１、特許文献２参照）。
【０００３】
前記ヘルメットに装着されるフェースシールドは、一般的に、透明その他の光透過性の素材の合成樹脂を成形して形成されたものであり、また、ヘルメット装着者の顔面に合うように顔面中央を頂部として湾曲している。そして、ヘルメット装着者が、作業時において顔面の保護が必要であると感じたとき、該フェースシールドを使用位置に下降スライドさせて所望の使用状態の位置におき、不使用時には、該フェースシールドを上昇スライドさせてヘルメット本体の格納位置に維持しておくことができるようになっている。
【０００４】
また、従来におけるヘルメットのフェースシールドは、予め、フェースシールド装着装置のガイド部材（フェースシールドガイド板）にスライド可能に取り付けられてセット状態で用意され、該フェースシールドが取り付けられている該ガイド部材をヘルメット本体に取り付けることにより、フェースシールドは該ガイド部材と共にヘルメット本体に取り付けられている。なお、該ガイド部材への該フェースシールドの取り付けはカシメ等で分離不能に固定され、該ガイド部材と該ヘルメット本体との間の結合はクリップ等で着脱可能に取り付けられている。また、ヘルメット本体にフェースシールドとガイド部材とを取り付けた後は、該ガイド部材及び該フェースシールドの一部を覆って、ハンモック等の内装材が該ヘルメット本体の内面に取り付けられる。
【先行技術文献】
【特許文献】
【０００５】
【特許文献１】特開２００９−１３５１７号公報。
【特許文献２】特開２００９−２０３５６９号公報。
【発明の開示】
【発明が解決しようとする課題】
【０００６】
ところで、ヘルメットのフェースシールドはガイド部材（フェースシールドガイド板）にスライド可能に取り付けられているため、ヘルメットの装着者は必要に応じてフェースシールドを下方へ引き出して顔面を覆うことができるが、フェースシールドを下方へ引き出したときの使い勝手において種々の問題点がある。すなわち、下方へ引き出されたフェースシールドは、ヘルメットの装着者の顔面にほぼ密着するような状態になっているので、例えば、ヘルメット装着者のメガネが邪魔になったり、息苦しくなったり、あるいは吐息によってフェースシールドが曇ったりすることがある。また、フェースシールドがヘルメット装着者の口の部分に接近しているため、吐息が顔面に戻ってきて不快に感じることもあるし、ヘルメット装着者が声を出して作業指示を行うときに、その声が外部に通り難いこともある。さらには、ヘルメット装着者の顔の大きさや形状などによって、フェースシールドと顔面との間の空間距離が適切でないこともある。
【０００７】
そこで、ヘルメットの使用状況やヘルメット装着者の好みに応じて、ヘルメット本体の前面のフェースシールドと顔面との間の空間距離を適切な状態に保持することができるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、  ヘルメット本体の前部内面に沿ってフェースシールドを上下方向に進退出可能に取り付け、更に、上下方向に延びる左右一対の案内溝と、該案内溝との間で上下方向に適宜の間隔を置いて、複数の突状歯を形成して成るラックが設けられ、且つ、該ラック全体に前後方向の弾力性が付与されたガイド板部を有する、ヘルメットのフェースシールド装着装置に於いて、
前記フェースシールドを下方に引き出して前方へ押し出したとき、該フェースシールドの左右上端部付近の内面側に付設されたフェースシールド内側突部と、
フェースシールドガイド板の左右下端部付近の外面側に穿設されたフェースシールドガイド板凹部とを契合させることにより、該フェースシールドは真下方向に対する俯角を示す所望のチルト角を保持することを特徴とするヘルメットのフェースシールド装着装置を提供する。
【０００９】
この構成によれば、フェースシールドを下方へ引き出して前方へ押し出したとき、該フェースシールドの左右上端部付近の内面側に付設されたフェースシールド内側突部を、フェースシールドガイド板の左右下端部付近の外面側に穿設されたフェースシールドガイド板凹部に落し込んで契合させることにより、下方へ引き出されたフェースシールドを所望のチルト角に保持させることができる。
【００１０】
請求項２記載の発明は、上記フェースシールド内側突部と上記フェースシールドガイド版凹部とを対応させてそれぞれ任意の位置に設定することにより、上記フェースシールドは任意の引き出し位置において所望のチルト角を保持できることを特徴とする請求項１記載のヘルメットのフェースシールド装着装置を提供する。
【００１１】
この構成によれば、フェースシールドの内面側に付設されたフェースシールド内側突部とフェースシールドガイド板の外面側に穿設されたフェースシールドガイド版凹部とを、それぞれ任意の位置に設置することにとより、フェースシールドは任意の引き出し位置においてチルト角を保持することができる。
【００１２】
請求項３記載の発明は、上記フェースシールド内側突部と上記フェースシールドガイド板凹部は、それぞれ、該フェースシールドのスライド方向に沿って複数箇所に設けられ、対応する位置に設けられた該フェースシールド内側突部と該フェースシールドガイド版凹部とを契合させることにより、該フェースシールドは多段の引き出し位置においてチルト角を保持できることを特徴とする請求項１記載のヘルメットのフェースシールド装着装置を提供する。
【００１３】
この構成によれば、フェースシールド内側突部とフェースシールドガイド板凹部は、それぞれ、フェースシールドのスライド方向に沿って複数箇所に設けられているので、対応する位置に設けられたフェースシールド内側突部とフェースシールドガイド版凹部とを契合させることにより、フェースシールドは多段の引き出し位置においてチルト角を保持することができる。
【発明の効果】
【００１４】
請求項１記載の発明は、ヘルメットのフェースシールドを下方へ引き出したときにフェースシールド内側突部をフェースシールドガイド板凹部に落とし込むことにより、フェースシールドを所望のチルト角に保持させることができるので、下方へ引き出したフェースシールドをヘルメット装着者の顔面から適度に離すことができる。その結果、ヘルメット装着者のメガネが邪魔になることもなくなるし、息苦しさを感じることもなくなる。また、ヘルメット装着者の吐息によってフェースシールドが曇るおそれもなくなる。
さらには、フェースシールドが装着者の口の部分から離れているので、吐息が顔面に戻ってきて不快に感じることもなくなるし、ヘルメット装着者が声を出して作業指示を行うときにその声が外部に通り易くなる。また、フェースシールドのチルト角は、フェースシールドの内側突部とフェースシールドガイド板凹部とによって位置決めされて固定されるので、作業中にフェースシールドのチルト角がずれるおそれはなくなる。すなわち、ヘルメット装着者の使用状況や顔の形状などによって、フェースシールドと顔面との空間距離を最適に離すことができるので、フェースシールド付きヘルメットの使い勝手が一段と向上する。また、フェースシールドを上下方向に進退出可能に取り付け、更に、上下方向に延びる左右一対の案内溝と、該案内溝との間で上下方向に適宜の間隔を置いて、複数の突状歯を形成して成るラックが設けられ、且つ、該ラック全体に前後方向の弾力性が付与されたガイド板部を有するところ、フェースシールドを、フェースシールド装着装置に柔軟に対応し安全に装着することができる。
【００１５】
請求項２記載の発明は、フェースシールド内側突部とフェースシールドガイド板凹部とをそれぞれ任意の位置に設置することにより、フェースシールドは任意の引き出し位置でチルト角を保持することができるので、請求項１記載の発明の効果に加えて、フェースシールド内側突部の付設位置とフェースシールドガイド板凹部の穿設位置を多様に変えたヘルメットをそれぞれ用意しておけば、それぞれのヘルメット装着者の好みに応じたフェースシールドの引き出し位置においてチルト角を保持させることができる。
【００１６】
請求項３記載の発明は、フェースシールド内側突部とフェースシールドガイド板凹部は、それぞれ、フェースシールドのスライド方向に沿って複数箇所に設けられているので、請求項１記載の発明の効果に加えて、ヘルメット装着者の好みに応じて、フェースシールドの引き出し位置を多段に変えながら、所望の引き出し位置においてチルト角を保持させることができる。
【図面の簡単な説明】
【００１７】
【図１】本発明の一実施形態に係るフェースシールド装着装置を適用し、かつ、フェースシールドを使用位置に下降スライドさせた状態で示すヘルメットの側面図。
【図２】本発明の一実施形態に係るフェースシールド装着装置を適用し、かつ、フェースシールドを格納位置に上昇スライドさせた状態で示すヘルメットの側面図。
【図３】フェースシールドを使用位置に下降スライドさせた状態でヘルメット本体内側から見たヘルメットの斜視図。
【図４】フェースシールドを格納位置に上昇スライドさせた状態でヘルメット本体内側から見たヘルメットの斜視図。
【図５】フェースシールド装着装置の分解斜視図。
【図６】ヘルメット本体を取り除いた状態で側面視した、フェースシールドガイド板からフェースシールドを下方へ引き出した状態を示す側面図。
【図７】ヘルメットを取り除いた状態で側面視した、フェースシールドガイド板からフェースシールドを下方へ引き出して該フェースシールドを前方へ押し出した状態を示す側面図。
【図８】ヘルメット本体を取り除いた状態で側面視した、フェースシールドをフェースシールドガイド板の奥部へ収納した状態を示す側面図。
【図９】ヘルメット本体を取り除いた状態で側面視した、フェースシールドガイド板からフェースシールドを下方へ引き出した状態を示す側面図。
【図１０】ヘルメットを取り除いた状態で側面視した、フェースシールドガイド板からフェースシールドを下方へ引き出して該フェースシールドを前方へ押し出した状態を示す側面図。
【発明を実施するための最良の形態】
【００１８】
本発明は、ヘルメットの使用状況やヘルメット装着者の好みに応じて、ヘルメット本体の前面のフェースシールドと顔面との間の空間距離を適切な状態に保持することがようにするという目的を達成するために、
ヘルメット本体の前部内面に沿ってフェースシールドを上下方向に進退出可能に取り付け、更に、上下方向に延びる左右一対の案内溝と、該案内溝との間で上下方向に適宜の間隔を置いて、複数の突状歯を形成して成るラックが設けられ、且つ、該ラック全体に前後方向の弾力性が付与されたガイド板部を有する、ヘルメットのフェースシールド装着装置に於いて、
前記フェースシールドを下方に引き出して前方へ押し出したとき、該フェースシールドの左右上端部付近の内面側に付設されたフェースシールド内側突部と、
フェースシールドガイド板の左右下端部付近の外面側に穿設されたフェースシールドガイド板凹部とを契合させることにより、該フェースシールドは真下方向に対する俯角を示す所望のチルト角を保持することできるように構成したことによって実現した。
【実施例】
【００１９】
以下、本発明に係るヘルメットのフェースシールド装着装置について、図１乃至図１０を参照しながら好適な実施例を説明する。
【００２０】
図１はフェースシールドを使用位置に下降スライドさせた状態で示すそのヘルメットの側面図、図２はフェースシールドを格納位置に上昇スライドさせた状態で示すそのヘルメットの側面図、図３はフェースシールドを使用位置に下降スライドさせた状態でヘルメット本体内側から見たヘルメットの斜視図、図４はフェースシールドを格納位置に上昇スライドさせた状態でヘルメット本体内側から見たヘルメットの斜視図である。また、図５は、フェースシールド装着装置の分解斜視図である。
【００２１】
なお、以下の説明において、図１の上下方向の上側をフェースシールド１２の上昇スライド方向(または格納位置方向)、上下方向の下側をフェースシールド１２の下降スライド方向(または使用位置方向)とし、且つ、図１の紙面の表裏方向をヘルメット１０の左右方向として説明する。
【００２２】
図１〜図５において、ヘルメット１０は、ヘルメット本体１１と、フェースシールド１２と、該フェースシールド１２を保持しているフェースシールド装着装置１３と、図示しないハンモック等の内装材等とにより概略構成されている。尚、ハンモックは、ヘルメット本体１１に加わる外力を間接的に受けてヘルメット装着者の頭部に衝撃を与えることがないように、外力を吸収緩和する作用を有する部材であり、また、よく知られた一般的な部材である。
【００２３】
前記ヘルメット本体１１は、ヘルメット１０の本体を塑性するシェル(殻体、帽体)であり、適宜の塑性加工素材、例えばＨＤＰＥ(high density PE:高密度ポリエチレン)等の合成樹脂を素材として熱可塑成型して製作することができる。
【００２４】
前記フェースシールド１２は、透明その他の光透過性の素材の合成樹脂を成形して形成されるものである。該フェースシールド１２は、ヘルメット装着者の顔面に合うように顔面中央を頂部として湾曲している面として形成されている。また、前記フェースシールド装着装置１３は、フェースシールドガイド板１４とスライド板部１５とロック部材１６により概略構成されている。
【００２５】
次に、フェースシールド装着装置１３の構造についてさらに詳細に説明する。該フェースシールド装着装置１３を構成する前記フェースシールドガイド板１４は、合成樹脂を成形して弾性変形可能な板状に形成されているものであり、中央部には上下方向に延びるガイド板部１４ａが形成され、該ガイド板部１４ａの下部左右両側にはそれぞれ左右方向外方へ延びる取付板部１４ｂ,１４ｂが該ガイド板部１４ａと一体的に形成されている。
【００２６】
また、該フェースシールドガイド板１４は、ヘルメット本体１１の前部中央部内面において、ガイド板部１４ａを上下方向に向けるとともに、左右の取付板部１４ｂ,１４ｂをそれぞれヘルメット本体１１の開口部近傍内面に這わせ、かつ、該ヘルメット本体１１の内面側に設けられている係止部１８,１８に、左右の取付板部１４ｂ,１４ｂに形成されている取付穴１７,１７を係合させて取り付けられる。なお、該フェースシールドガイド板１４をヘルメット本体１１に取り付けるとき、該フェースシールドガイド板１４とヘルメット本体１１内面との間には、前記フェースシールド１２と前記スライド板部１５の差し込みを可能にする隙間が設けられる。
【００２７】
また、前記ガイド板部１４ａには、ヘルメット本体１１の内側を向いた面(後面)に、上下方向に延びる左右一対の案内溝１９,１９と、該案内溝１９,１９との間で、かつ、上下方向に適宜の間隔を置いて複数の突状歯２０ａ,２０ａ…を形成してなるラック２０が設けられている。なお、案内溝１９,１９とラック２０との間にはスリット２１,２１が設けられ、該ラック２０全体に前後方向の弾力性を持たせている。
【００２８】
前記スライド板部１５は、フェースシールド１２の上端側に、該上端側からさらに上方に向かって延長するようにして該フェースシールド１２から延設されて該フェースシールド１２と一体的に形成されている。該スライド板部１５の後面側には、前記フェースシールドガイド板１４の前記左右の案内溝１９,１９に対応して左右一対のスライド脚２２,２２が後方に突出して設けられている。
【００２９】
該各スライド脚２２,２２は、それぞれ案内溝１９,１９内を通って前記フェースシールドガイド板１４の裏面(前面)側から表面(後面)側に貫通し、その先端部が該フェースシールドガイド板１４の表面から突出するように形成されており、また、該フェースシールドガイド板１４の表面から突出した先端部側には、それぞれ内側を向いて開口された係合溝２４,２４を画成して、下面視下向きＬ字状に形成された係止部２５,２５が設けられている。さらに、各係止部２５,２５の上下中央部には、それぞれ左右外側から内側中央部に向かって幅が徐々に狭くなるようにして切欠形成されてなる切欠部２３,２３が設けられている。
【００３０】
前記ロック部材１６は、合成樹脂を成形して形成されている。該ロック部材１６は、フェースシールドガイド板１４の表面(後面)側において、前記フェースシールドガイド板１４の案内溝１９を貫通して裏面(前面)側から表面側に突出している前記スライド脚２２,２２の係合溝２４,２４に係合されて、該スライド脚２２,２２の抜け止めロックを行うための部材である。該ロック部材１６は、前記スライド脚２２,２２の係合溝２４,２４に上下方向及び左右方向からスライド挿入可能な係止片２６及び弾性ロック爪部２７を各々左右両側に有している。また、該ロック部材１６の中央部には、後面視上向きコ字状のスリット３０を設けて形成された、上方から下方に向かって延びる片持ち状の弾性係止片２８が設けられている。該弾性係止片２８はフェースシールドガイド板１４のラック２０と対応しており、先端部にはラック２０に圧接される係止爪２８ａが一体に形成されている。なお、ロック部材１６の係止片２６及び弾性ロック爪部２７は、ロック部材１６のロック部を形成している。
【００３１】
このように構成されたフェースシールド装着装置１３は、フェースシールド１２をヘルメット本体１１に取り付ける場合、まず、該ヘルメット本体１１の内面に取り付けられているフェースシールドガイド板１４と該ヘルメット本体１１の間の隙間から、該シールドガイド板１４の裏面側にフェースシールド１２と一体化されているスライド板部１５を差し込み、かつ、該スライド板部１５のスライド脚２２,２２をフェースシールドガイド板１４の表面側に案内溝１９,１９を貫通させて突出させる。次いで、ロック部材１６を上または下方向よりスライドさせて、フェースシールドガイド板１４の表面側に突出しているスライド脚２２の係合溝２４,２４にロック部材１６の係止片２６,２６及び弾性ロック爪部２７,２７をそれぞれ挿入させる。これにより、ロック部材１６をスライド脚２２,２２に対してロック状態で取り付けることができる。また、該スライド脚２２,２２にロック部材１６を取り付けた状態では、該ロック部材１６における弾性係止片２８の係止爪２８ａがフェースシールドガイド板１４のラック２０の面に圧接されており、この圧接でフェースシールド１２が不用意に上下方向へ移動するのを抑える。
【００３２】
これにより、フェースシールド１２がヘルメット本体１１の内面に取り付けられる。この取付状態で、フェースシールド１２を下方向にスライドさせると、スライド脚２２,２２が案内溝１９,１９の下端に当接して移動が規制される使用位置まで、該フェースシールド１２を引き出すことができる。図１及び図３は、フェースシールド１２がこの使用位置に配置された状態を示している。反対に、フェースシールド１２を上方向にスライドさせると、スライド脚２２,２２が案内溝１９,１９の上端に当接して移動が規制される格納位置まで、該フェースシールド１２を収納することができる。図２及び図４は、フェースシールド１２がこの格納位置に配置された状態を示している。また、その使用位置と格納位置の中間位置では、弾性係止片２８の係止爪２８ａがラック２０の歯２０ａ,２０ａ間に圧接係合されて、その中間位置での停止を維持することができる。
【００３３】
以上のようにして、フェースシールド装着装置１３がヘルメット本体１１の内面に装着された状態において、フェースシールド１２は、フェースシールド装着装置１３のフェースシールドガイド板１４に沿って自在にスライドし、ヘルメット本体１１の内部から下方（すなわち、ヘルメット装着者の顔の部分）へ引き出したり、ヘルメット本体１１の内部へ収納したりすることができる。
【００３４】
ここで、フェースシールド１２をヘルメット本体１１から下方（ヘルメット装着者の顔の部分）へ引き出したときに、ヘルメット装着者の好みや使用状態に合わせてフェースシールド１２のチルト角（すなわち、フェースシールド１２の真下方向に対する俯角）を固定させる機構について図面を参照しながら説明する。尚、以下に示す図面では、ヘルメット本体１１の内部図面として説明を分かりやすくするために、ヘルメット本体１１の部分を省略して、フェースシールド装着装置１３のフェースシールドガイド板１４とフェースシールド１２との相対関係のみを図示することにする。
【００３５】
図６は、ヘルメット本体を取り除いた状態で側面視した、フェースシールドガイド板からフェースシールドを下方へ引き出した状態を示す側面図である。また、図７は、ヘルメットを取り除いた状態で側面視した、フェースシールドガイド板からフェースシールドを下方へ引き出して該フェースシールドを前方へ押し出した状態を示す側面図である。すなわち、図７は、フェースシールドガイド板からフェースシールドを下方へ引き出し、該フェースシールドをヘルメット装着者の顔面から持ち上げて（チルトさせて）所望のチルト角を設けた状態を示している。尚、図６、図７ではフェースシールドガイド板１４とフェースシールド１２との相対関係のみを示すために、フェースシールドガイド板１４の詳細な内部構成の図示は省略されている。
【００３６】
図６に示すように、フェースシールドガイド板１４の左右下端部付近の外面側にはフェースシールドガイド板凹部３２が穿設され、且つ、フェースシールド１２の左右上端部付近の内面側にはフェースシールド内側突部３１が付設されている。また、フェースシールド１２の左右上端部付近の内面側で、前記フェースシールド内側突部３１よりやや中央部寄りの位置にはフェースシールド隙間保持突部３３が付設されている。
【００３７】
このような構成において、図示しないヘルメット本体の内部に収納されて固着されたフェースシールドガイド板１４からフェースシールド１２をスライドさせて下方へ引き出すと、図６に示すように、フェースシールド１２は地面に対してほぼ垂直な方向を向く状態となる。該フェースシールド１２はこの状態でヘルメット装着者の顔面を保護することができるが、フェースシールド１２がヘルメット装着者の顔面に密着する状態となっているので、ヘルメット装着者のメガネが邪魔になったり、息苦しくなったり、あるいは吐息によってフェースシールド１２が曇ったりすることがある。また、フェースシールド１２がヘルメット装着者の口の部分に接近するため、吐息が顔面に戻ってきて不快に感じることもあるし、ヘルメット装着者が声を出して作業指示を行うときにその声が外部に通り難いこともある。
【００３８】
そこで、フェースシールド１２を顔から離すように前方へ押し出すと、フェースシールドの左右上端部付近の内面側に付設されたフェースシールド内側突部３１が図の矢印ａの方向へ移動して、フェースシールドガイド板１４の左右下端部付近の外面側に穿設されたフェースシールドガイド板凹部３２に落し込まれる。すなわち、フェースシールド内側突部３１がフェースシールドガイド板凹部３２に契合することによって、図７に示すように、フェースシールド１２が顔面から離れる方向（前方）へチルトされた（持ち上げられた）状態で保持され、該フェースシールド１２に所望のチルト角（すなわち、フェースシールド１２の垂直方向に対する俯角）が形成されて固定される。
【００３９】
図７に示すように、下方へ引き出されたフェースシールド１２が前方へ押し出されることによってフェースシールド内側突部３１がフェースシールドガイド板凹部３２に契合され、フェースシールド１２は所望のチルト角を保持した状態で固定される。従って、ヘルメット装着者の作業中において、フェースシールド１２は該ヘルメット装着者の顔面から持ち上げられて適切な空間距離が保持される。これによって、ヘルメット装着者は、ヘルメット１０の最適な着帽状態でフェースシールド１２によって顔面を覆いならが所望の作業を行うことができる。
【００４０】
尚、フェースシールドガイド板１４からフェースシールド１２を進退出させるとき、フェースシールドガイド板１４とフェースシールド１２とが面接触して相対移動すると接触面積が大きいために、摩擦抵抗が大きくなってフェースシールド１２をスライドするときに進退出させ難くなる。そこで、図６に示すように、フェースシールド１２の左右上端部付近の内面側であって、フェースシールド内側突部３１よりやや中央部寄りの位置にフェースシールド隙間保持突部３３を付設し、このフェースシールド隙間保持突部３３を介してフェースシールド１２とフェースシールドガイド板１４とを点接触させることにより、フェースシールド１２をフェースシールドガイド板１４から低い摩擦抵抗で進退出させることができる。尚、フェースシールド１２の外面側に突部を設けて、該フェースシールド１２とヘルメット本体の内面とを点接触させてフェースシールド１２をスライドさせる技術は既に知られている。
【００４１】
図８は、ヘルメット本体を取り除いた状態で側面視した、フェースシールドをフェースシールガイド板の奥部へ収納した状態を示す側面図、図９は、ヘルメット本体を取り除いた状態で側面視した、フェースシールガイド板からフェースシールドを下方へ引き出した状態を示す側面図、図１０は、ヘルメットを取り除いた状態で側面視した、フェースシールガイド板からフェースシールドを下方へ引き出して該フェースシールドを前方へ押し出した状態を示す側面図である。尚、図８、図９、図１０では、フェースシールドガイド板１４の内部構成も図示されている。
【００４２】
図８に示すように、フェースシールド１２は、フェースシールドガイド板１４のラック２０に沿ってスライドして図示しないヘルメット本体の奥部へ収納される。フェースシールド１２をヘルメット装着者の顔面側へ引き出すときは、図９に示すように、フェースシールド１２をフェースシールドガイド板１４のラック２０に沿って下方へ引き出せばよい。このとき、フェースシールド１２の内面側に付設されたフェースシールド隙間保持突起３３がフェースシールドガイド板１４の表面に点接触してスライドされるので、フェースシールド１２を小さい摩擦抵抗で容易に引き出すことができる。尚、特に図示されていないが、フェースシールド１２の外面側に設けた突起によって、該フェースシールド１２とヘルメット本体の内面とを点接触でスライドさせることにより、フェースシールド１２の進退出を一層容易にしている。
【００４３】
次に、ヘルメット装着者の好みに応じてフェースシールド１２を顔面から前方へ押し出す場合は、図１０に示すように、ヘルメット装着者が手でフェースシールド１２を前方へ押し出すと、フェースシールド内側突部３１がフェースシールドガイド板凹部３２に自動的に落し込まれるので、フェースシールド１２から手を離しても該フェースシールド１２は所定のチルト角を保持した状態となり、ヘルメット装着者は、顔面から最適な空間距離を保持させたフェースシールド１２によって顔面を覆いながら所望の作業を行うことができる。
【００４４】
すなわち、本発明に係るヘルメットのフェースシールドは、ヘルメット本体１０の前部内面に装着されたフェースシールドガイド板１４に沿って上下方向に進退出できるように構成されていて、フェースシールド１２を下方へ引き出して前方へ押し出したとき、該フェースシールド１２の左右上端部付近の内面側に付設されたフェースシールド内側突部３１と、フェースシールドガイド板１４の左右下端部付近の外面側に穿設されたフェースシールドガイド板凹部３２とを契合させることにより、フェースシールド１２を所望のチルト角に保持させることができる。
【００４５】
また、フェースシールド内側突部３１とフェースシールドガイド板凹部３２とを対応させてそれぞれ任意の位置に設定することにより、フェースシールド１２を任意の引き出し位置において所望のチルト角に保持させることができる。さらに、フェースシールド内側突部３１とフェースシールドガイド板凹部３２とを、それぞれ、フェースシールド１２のスライド方向に沿って複数箇所に設置すれば、フェースシールド１２に付設されたフェースシールド内側突部３１とフェースシールドガイド板１４に穿設されたフェースシールドガイド板凹部３２とを対応する位置で契合させることにより、フェースシールド１２を多段の引き出し位置において所望のチルト角に保持させることができる。
【００４６】
以上、本発明を具体的な実施例に基づいて詳細に説明したが、本発明は上記の実施例に限定されるものではなく、本発明の精神を逸脱しない限り種々の改変を為すことができ、そして、本発明が該改変されたものに及ぶことは当然である。
【産業上の利用可能性】
【００４７】
本発明は、保安用のヘルメットとして利用できるのは勿論であるが、その他、あらゆる用途に適用されるヘルメットにも利用することができる。
【符号の説明】
【００４８】
１０      ヘルメット
１１      ヘルメット本体
１２      フェースシールド
１３      フェースシールド装着装置
１４      フェースシールドガイド板
１４ａ    ガイド板部
１４ｂ    取付板部
１５      スライド板部
１６      ロック部材
１７      取付穴
１８      係止部
１９      案内溝
２０      ラック
２０ａ    突状歯
２１      スリット
２２      スライド脚
２３      切欠部
２４      係合溝
２５      係止部
２６      係止片
２７      弾性ロック爪部
２８      弾性係止片
２８ａ    係止爪
３０      スリット
３１      フェースシールド内側突部
３２      フェースシールドガイド板凹部
３３      フェースシールド隙間保持突部
【図１】
0005557720.tif 000002
【図２】
0005557720.tif 000003
【図３】
0005557720.tif 000004
【図４】
0005557720.tif 000005
【図５】
0005557720.tif 000006
【図６】
0005557720.tif 000007
【図７】
0005557720.tif 000008
【図８】
0005557720.tif 000009
【図９】
0005557720.tif 000010
【図１０】
0005557720.tif 000011